【手続補正書】
【提出日】平成26年6月24日(2014.6.24)
【手続補正１】
【補正対象書類名】特許請求の範囲
【補正対象項目名】全文
【補正方法】変更
【補正の内容】
【特許請求の範囲】
【請求項１】
１つの開口を有する容器の遮光のための閉止装置（１００）であって、
ａ）前記容器に対向する下部表面（１１１）と、前記容器から離れている上部表面（１１２）と、を有し、且つ、少なくとも１つの開口部（１１３）を有する第１閉止要素（１１０）であって、前記開口部（１１３）が、前記容器の前記開口の上方に位置するように前記容器上に気密に取り付けることができるように形成された第１閉止要素と、
ｂ）前記第１閉止要素と対向する下部表面（１２１）と、前記第１閉止要素から離れている上部表面（１２２）と、を有する第２閉止要素（１２０）であって、前記第１閉止要素（１１０）に対して移動自在に接続可能であると共に、閉鎖位置においては、前記第１閉止要素の前記少なくとも１つの開口部（１１３）を覆い、且つ、開放位置においては、前記第１閉止要素（１１０）の前記少なくとも１つの開口部（１１３）を覆わない第２閉止要素と、
を具備し、
前記少なくとも１つの開口部（１１３）を取り囲む隆起したエッジ（１１４）が、前記第１閉止要素（１１０）の前記下部表面（１１１）上に設けられ、
前記エッジ（１１４）は、鋭いエッジを有する表面を具備した第１長手方向部分（１１５）と、鋭利ではない表面を有する第２長手方向部分（１１６）とを具備することを特徴とする閉止装置。
【請求項２】
前記開口部（１１３）から離れている前記隆起したエッジ（１１４）の前記第２長手方向部分（１１６）の少なくとも外側表面は、湾曲状に延在する請求項１に記載の閉止装置。
【請求項３】
前記隆起したエッジ（１１４）の前記第１長手方向部分（１１５）の前記鋭いエッジを有する表面は、歯形状の構造（１１７）及び切断エッジ形状の構造（１１８）の少なくとも一方を具備する請求項１又は２に記載の閉止装置。
【請求項４】
前記隆起したエッジ（１１４）の前記第１長手方向部分（１１５）は、少なくとも部分的に、その高さ方向に、前記隆起したエッジの前記第２長手方向部分（１１６）を超えて突出する請求項１から３のいずれかに記載の閉止装置。
【請求項５】
前記隆起したエッジ（１１４）の前記第１長手方向部分（１１５）は、前記第１閉止要素（１１０）の前記下部表面（１１１）との関係において傾斜した１つの平面内に位置する請求項１から４のいずれかに記載の閉止装置。
【請求項６】
前記平面は、水平面に対して１〜４５°の傾斜の角度を具備する請求項５に記載の閉止装置。
【請求項７】
前記隆起したエッジの前記第１長手方向部分（１１５）は、第１、第２、及び第３部位部分（１１５’、１１５’’、１１５’’’）を具備し、前記第１及び第３部位部分（１１５’、１１５’’’）は、それぞれ、直線状に延在し、且つ、前記第１及び第３部位部分を接続する前記第２部位部分（１１５’’）は、湾曲状に延在する請求項１から６のいずれかに記載の閉止装置。
【請求項８】
前記第１及び第３部位部分（１１５’、１１５’’’）の少なくとも一方の表面上には、切断エッジ（１１７）が前記部位部分の長さの全体にわたって延在し、且つ、前記第２部位部分（１１５’’）は、歯形状の構造（１１８）を具備する請求項７に記載の閉止装置。
【請求項９】
少なくとも２つの開口を有する複数のチャンバを有する容器の遮光のための閉止装置（２００）であって、
ａ）前記容器に対向する下部表面（２１１）と、前記容器から離れている上部表面（２１２）と、を有し、且つ、少なくとも２つの開口部（２１３）を有する第１閉止要素であって、前記少なくとも２つの開口部（２１３）は、前記開口部（２１３）が前記容器の前記開口の上方に位置するように前記第１閉止要素を前記容器上において気密に取り付けることができるように成形されている第１閉止要素と、
ｂ）前記第１閉止要素に対向する下部表面（２２１）と、前記第１閉止要素から離れている上部表面（２２２）と、を有する第２閉止要素（２２０）であって、前記第１閉止要素（２１０）に対して移動自在に接続可能であると共に、閉鎖位置においては、前記第１閉止要素の前記開口部（２１３）を覆い、且つ、開放位置においては、前記第１閉止要素（２１０）の前記開口部（２１３）を覆わない第２閉止要素と、
を具備し、
それぞれの開口部（２１３）ごとに、前記開口部（２１３）を取り囲む隆起したエッジ（２１４）が前記第１閉止要素（２１０）の前記下部表面（２１１）上に設けられ、
前記エッジ（２１４）は、鋭いエッジを有する表面を具備した第１長手方向部分（２１５）と、鋭利ではない表面を有する第２長手方向部分（２１６）とを具備することを特徴とする閉止装置。
【請求項１０】
前記第１閉止要素（２１０）は、直線状に配列された３つの開口部Ａ’、Ｂ’、及びＣ’（２１３）を具備し、且つ、前記第２閉止要素（２２０）は、前記閉鎖位置において前記開口部Ａ’及びＢ’（２１３）の間に位置すると共に前記開放位置において前記第１閉止要素（２１０）の前記開口部Ｂ’（２１３）の上方に位置する開口部Ｄ（２４１）を具備する、直線状に配列された３つの開口部Ａ、Ｂ、Ｃを有する３つのチャンバを有する容器の遮光のための請求項９に記載の閉止装置。
【請求項１１】
前記第２閉止要素（１２０、２２０）は、前記上部表面上にエントレイン手段（１３４、２３４）を具備し、水平力が、前記エントレイン手段に対して作用可能であり、その結果、第２閉止要素（１２０、２２０）は、前記閉鎖位置から前記開放位置へ、且つ、この逆に、移動自在である請求項１から１０のいずれかに記載の閉止装置。
【請求項１２】
前記第２閉止要素（１２０、２２０）をガイドするガイドブリッジ（１１９、２１９）が、前記容器から離れている前記第１閉止要素（１１０、２１０）の前記上部表面（１１２、２１２）上に設けられる請求項１から１１のいずれかに記載された閉止装置。
【請求項１３】
前記第２閉止要素（１２０、２２０）は、前記閉鎖位置において、且つ、前記開放位置において、増大した押圧圧力が前記第２閉止要素に対して作用するように、前記第１閉止要素（１１０、２１０）の前記ガイドブリッジ（１１９、２１９）と相互作用することができる翼状のエッジ（１３３、２３３）を具備する請求項１２に記載の閉止装置。
【請求項１４】
それぞれのケースにおいて、それぞれの開口部（１１３、２１３）ごとに、封止リップ（１２３、２２３）が前記第２閉止要素（１２０、２２０）の前記下部表面（１２１、２２１）上に設けられ、前記封止リップは、前記閉鎖位置において、封止された方式によって前記開口部（１１３、２１３）を取り囲むように形成されている請求項１から１３のいずれかに記載の閉止装置。
【請求項１５】
前記第２閉止要素（１２０、２２０）の前記下部表面（１２１、２２１）上に存在する少なくとも１つの封止リップ（１２３、２２３）のために、隆起（２４０）が、前記第１閉止要素（１１０、２１０）の前記上部表面（１１２、２１２）上に設けられ、前記隆起（２４０）は、前記開放位置において、前記封止リップ（１２１、２２１）によって気密に取り囲まれるように構成されている請求項１４に記載の閉止装置。
【請求項１６】
診断試験用の試験キットであって、
その開口部がフォイルによって閉鎖された単一のチャンバ又は複数のチャンバを有する試薬容器を含み、
前記試験キットは、請求項１から１５のいずれかに記載の閉止装置（１００、２００）を更に含むことを特徴とする試験キット。
【請求項１７】
直線状に配列された３つの開口部Ａ、Ｂ、Ｃを有する容器の遮光のための閉止要素（２２０）であって、
前記容器に対向する下部表面（２２１）及び前記容器から離れている上部表面（２２２）であって、前記閉止要素は、前記容器に対して移動自在に接続可能であり、且つ、閉鎖位置においては、前記容器の前記開口部（Ａ、Ｂ、Ｃ）を覆い、且つ、閉鎖位置においては、前記容器の前記開口部（Ａ、Ｂ、Ｃ）を覆わない、下部表面及び上部表面を有し、
前記閉止要素（２２０）は、前記閉鎖位置において前記容器の前記開口部Ａ及びＢの間に位置すると共に前記開放位置において前記容器の前記開口部Ｂの上方に位置する開口部Ｄ（２４１）を具備することを特徴とする閉止要素。
【請求項１８】
前記閉止要素（２２０）は、前記上部表面上にエントレイン手段（２３４）を具備し、且つ、水平力が、前記エントレイン手段（２３４）に対して作用可能であり、
その結果、前記閉止要素（２２０）は、前記閉鎖位置から前記開放位置に、且つ、この逆に、移動自在である請求項１７に記載の閉止要素。
【請求項１９】
前記閉止要素（２２０）は、前記閉鎖位置において、且つ、前記開放位置において、増大した押圧圧力が前記閉止要素に対して作用するように、前記容器の前記上部表面上のガイドブリッジと相互作用することができる翼状のエッジ（２３３）を具備する請求項１７又は１８に記載の閉止要素。
【請求項２０】
それぞれのケースにおいて、前記容器のそれぞれの開口ごとに、封止リップ（２２３）が前記閉止要素の前記下部表面（２２１）上に設けられ、前記封止リップは、前記閉鎖位置において封止されることによって前記開口部（２１３）を取り囲むように形成されている請求項１７から１９のいずれかに記載の閉止要素。